【手続補正書】
【提出日】平成16年6月29日(2004.6.29)
【手続補正１】
【補正対象書類名】明細書
【補正対象項目名】特許請求の範囲
【補正方法】変更
【補正の内容】
【特許請求の範囲】
【請求項１】
内周面に外輪軌道を有し、使用時にも回転しない外輪と、外周面にこの外輪軌道と対向する内輪軌道を有し、使用時に車輪と共に回転する内輪と、これら外輪軌道と内輪軌道との間に転動自在に設けられた複数個の転動体と、上記外輪の内周面と上記内輪の外周面との間の環状空間の端部開口を塞ぐシール手段とを備え、このシール手段は、それぞれが円環状で芯金を含んで構成された、第一、第二のシール素子を組み合わせて成るものであり、このうちの第一のシール素子を構成する第一の芯金は、上記外輪の一端部に内嵌固定する第一の固定円筒部と、この第一の固定円筒部の一端縁から直径方向内方に折れ曲がった第一の円輪部と、上記第一の固定円筒部の他端縁から連続し、上記外輪の端面からこの外輪から離れる方向に突出した、この外輪の端部の内径よりも大きな内径を有する大径円筒部とを備えたものであり、上記第二のシール素子を構成する第二の芯金は、上記内輪の端部に外嵌固定する第二の固定円筒部と、この第二の固定円筒部の一端縁から直径方向外方に折れ曲がった第二の円輪部とを備え、この第二の円輪部の側面には、円周方向に亙り特性が交互に且つ等間隔で変化する被検出部を備えたエンコーダを設けており、このエンコーダは上記外輪の端面から上記転動体とは逆側に外れた位置に存在し、このエンコーダの外径は上記外輪の端部の内径よりも大きく、上記大径円筒部の内径よりも小さく、上記第一の芯金には弾性材製のシールリップを、全周に亙って添設しており、このシールリップの先端縁は、上記第二の芯金に、全周に亙って摺接しているエンコーダ付転がり軸受ユニット。
【請求項２】
第一のシール素子の第一の芯金を構成する大径円筒部の外径が、外輪の端部の外径よりも小さい、請求項１に記載したエンコーダ付転がり軸受ユニット。
【請求項３】
第一のシール素子の第一の芯金を構成する大径円筒部の先端縁が、エンコーダの側面よりも軸方向に突出している、請求項１に記載したエンコーダ付転がり軸受ユニット。
【手続補正２】
【補正対象書類名】明細書
【補正対象項目名】０００７
【補正方法】変更
【補正の内容】
【０００７】
【課題を解決するための手段】
本発明のエンコーダ付転がり軸受ユニットは、内周面に外輪軌道を有し、使用時にも回転しない外輪と、外周面にこの外輪軌道と対向する内輪軌道を有し、使用時に車輪と共に回転する内輪と、これら外輪軌道と内輪軌道との間に転動自在に設けられた複数個の転動体と、上記外輪の内周面と上記内輪の外周面との間の環状空間の端部開口を塞ぐシール手段とを備える。
このシール手段は、それぞれが円環状で芯金を含んで構成された、第一、第二のシール素子を組み合わせて成る。そして、このうちの第一のシール素子を構成する第一の芯金は、上記外輪の一端部に内嵌固定する第一の固定円筒部と、この第一の固定円筒部の一端縁から直径方向内方に折れ曲がった第一の円輪部と、上記第一の固定円筒部の他端縁から連続し、上記外輪の端面からこの外輪から離れる方向に突出した、この外輪の端部の内径よりも大きな内径を有する大径円筒部とを備える。又、上記第二のシール素子を構成する第二の芯金は、上記内輪の端部に外嵌固定する第二の固定円筒部と、この第二の固定円筒部の一端縁から直径方向外方に折れ曲がった第二の円輪部とを備える。そして、この第二の円輪部の側面には、円周方向に亙り特性が交互に且つ等間隔で変化する被検出部を備えたエンコーダを設けている。このエンコーダは上記外輪の端面から上記転動体とは逆側に外れた位置に存在し、このエンコーダの外径は上記外輪の端部の内径よりも大きく、上記大径円筒部の内径よりも小さい。更に、上記第一の芯金には弾性材製のシールリップを、全周に亙って添設しており、このシールリップの先端縁は、上記第二の芯金に、全周に亙って摺接している。
【手続補正３】
【補正対象書類名】明細書
【補正対象項目名】０００９
【補正方法】変更
【補正の内容】
【０００９】
【発明の実施の形態】
図１〜２は、本発明の実施の形態の第１例を示している。外輪１７は、懸架装置に設けたハウジング１６に支持固定して、使用時にも回転しない。この外輪１７の内側には、図示しない車軸の端部に外嵌固定して使用時にこの車軸と共に回転する内輪１８、１８を、回転自在に支持している。上記外輪１７の内周面には、複列の外輪軌道１９、１９を、上記各内輪１８、１８の外周面には内輪軌道２０、２０を、それぞれ設けている。そして、上記複列の外輪軌道１９、１９と上記各内輪軌道２０、２０との間にそれぞれ複数個ずつ転動体２１、２１を、転動自在に設けている。尚、図示の例では、各転動体２１、２１として玉を使用しているが、重量が嵩む自動車用の転がり軸受ユニットの場合には、これら各転動体としてテーパころを使用する場合もある。
【手続補正４】
【補正対象書類名】明細書
【補正対象項目名】００１７
【補正方法】変更
【補正の内容】
【００１７】
前述の様に構成し、上述の様に使用される本発明のエンコーダ付転がり軸受ユニットは、上記エンコーダ５ａを、上記外輪１７の内端面１７ａよりも環状空間２２から突出する方向に外れた部分に設けているので、上記エンコーダ５ａの外周縁を、上記外輪１７の内端部の内周面よりも直径方向外方に位置させる事ができる。そして、上記エンコーダ５ａの直径方向に亙る幅寸法Ｗ5aを、上記環状空間２２の内端開口部の幅寸法Ｗ22よりも大きく（Ｗ5a＞Ｗ22）できる。従って、上記エンコーダ５ａの内側面と対向するセンサ３７の出力を確保して、上記内輪１８と共に回転する車輪の回転速度検出を精度良く行なえる。
【手続補正５】
【補正対象書類名】明細書
【補正対象項目名】００１９
【補正方法】変更
【補正の内容】
【００１９】
次に、図３は、本発明の実施の形態の第２例を示している。本例の場合には、外輪１７の中間部外周面に取付フランジ３９を設け、この取付フランジ３９により、上記外輪１７を、懸架装置に設けたハウジング３６に支持固定している。このハウジング３６の内周面には、上述した第１例のハウジング１６の様な、外輪１７の内端面１７ａに突き当てる為の段差が存在しない。従って本例の場合には、第一の芯金２７に設けた大径円筒部３２の直径を、上述した第１例の場合よりも大きくできる。これに伴って、第二の芯金３３を構成する第二の円輪部３５及びエンコーダ５ａの外径を大きくして、このエンコーダ５ａの直径方向に亙る幅寸法を、上述した第１例の場合よりも大きくできる。その他の構成及び作用は、上述した第１例の場合と同様であるから、同等部分には同一符号を付して、重複する説明を省略する。
【手続補正６】
【補正対象書類名】明細書
【補正対象項目名】符号の説明
【補正方法】変更
【補正の内容】
【符号の説明】
１  回転軸
２  支持部材
３  空間
４  シール手段
５、５ａ  エンコーダ
６  第一のシール素子
７  第二のシール素子
８  第一の芯金
９  第一の固定円筒部
１０  第一の円輪部
１１  第二の芯金
１２  第二の固定円筒部
１３  第二の円輪部
１４  弾性材
１５  シールリップ
１６  ハウジング
１７  外輪
１７ａ  内端面
１７ｂ  外端面
１８  内輪
１８ａ  内端面
１８ｂ  外端面
１９  外輪軌道
２０  内輪軌道
２１  転動体
２２  環状空間
２３  第一のシール手段
２４  第二のシール手段
２５  第一のシール素子
２６  第二のシール素子
２７  第一の芯金
２８  シールリップ
２９  第一の固定円筒部
３０  第一の円輪部
３１  位置決め用円輪部
３２  大径円筒部
３３  第二の芯金
３４  第二の固定円筒部
３５  第二の円輪部
３６  ハウジング
３７  センサ
３８  ハーネス
３９  取付フランジ
【手続補正７】
【補正対象書類名】図面
【補正対象項目名】図２
【補正方法】変更
【補正の内容】
【図２】
1999083543.tif 000001